(57)【要約】【課題】本願発明は、容器本体内の液を排出する場合、どのような方向で排出したとしてもその排出液が吸気孔或いは排気孔より蓋体内に入り込まないようにした簡易型除湿器を提供すること。【解決手段】対向側面に設けられる吸気孔と排気孔を有する蓋体と、該蓋体の下部に位置し、除湿剤収納空間及び除湿剤投入口を有する容器本体と、前記蓋体に前記吸気孔と前記除湿剤収納空間とを連通する吸気開口、及び前記除湿剤収納空間と前記排気孔とを連通する排気開口を設けるとともに、前記吸気開口及び前記排気開口を容器本体の持ち上げ及び持ち下げに連動して開閉する弁部材を設けてなる簡易型除湿器において、前記弁部材に連動して前記吸気孔及び前記排気孔を開閉する第２の弁部材を設ける簡易型除湿器。【選択図】　　　　図２
2004066117.tif 000002
【特許請求の範囲】
【請求項１】
対向側面に設けられる吸気孔と排気孔を有する蓋体と、該蓋体の下部に位置し、除湿剤収納空間及び除湿剤投入口を有する容器本体と、前記蓋体に前記吸気孔と前記除湿剤収納空間とを連通する吸気開口、及び前記除湿剤収納空間と前記排気孔とを連通する排気開口を設けるとともに、前記吸気開口及び前記排気開口を容器本体の持ち上げ及び持ち下げに連動して開閉する弁部材を設けてなる簡易型除湿器において、前記弁部材に連動して前記吸気孔及び前記排気孔を開閉する第２の弁部材を設けることを特徴とする簡易型除湿器。
【請求項２】
前記弁部材と前記第２の弁部材とを一体にしたことを特徴とする請求項１記載の簡易型除湿器。
【請求項３】
前記除湿剤投入口に近い側の前記吸気孔または前記排気孔のみに前記第２の弁部材を設けることを特徴とする請求項１、２記載の簡易型除湿器。
【請求項４】
前記除湿剤投入口と前記吸気孔または前記排気孔の間に遮蔽部材を設けることを特徴とする請求項１乃至３記載の簡易型除湿器。
【発明の詳細な説明】
【０００１】
【発明が属する技術分野】
本願発明は、簡易型除湿器に関し、特に容器本体内に収納した潮解性の除湿剤により除湿を行う簡易型除湿器に関するものである。
【０００２】
【従来の技術】
簡易型除湿器は、例えば、下駄箱、クローゼット、押し入れ及び台所のシンク下等のあまりスペースが大きくなく、且つ湿気が多い場所に据え付け、そのスペース内の除湿を行うものである。
【０００３】
このタイプの除湿器は、既に公知であり、その除湿器の例を図６に示す。除湿器ａは、下部から容器本体ｂ、蓋体ｃ及び蓋カバーｄの３層構造からなる。容器本体ｂは、上方が開口する容器であり、その内部に潮解性の除湿剤、例えば、粒状の塩化カルシウムを収納するための除湿剤収納室兼空気通路室ｅを有する。また、その側部には除湿剤を投入し、キャップｊによって開閉される除湿剤投入口ｓが設けられる。
【０００４】
前記蓋体ｃは、容器本体ｂの上部を閉蓋するためのもので、前記キャップｊに遠い側の底板には吸気開口ｆが、また、キャップｊに近い側の底板には排気開口ｇが設けられるとともに、それら両開口ｆ、ｇにはそれぞれ同じ弁部材ｉが配設される。それら弁部材ｉはその下部に弁棒ｈを一体的に連結している（図６は図１のＡ−Ａ線断面であるため吸気開口ｆ側の弁棒ｈは表示されない。）。この弁棒ｈの外周上には、スプリングｒが介在され、除湿器ａを持ち上げた状態では図６に示すように弁棒ｈを押し下げ、弁部材ｉは吸気開口ｆ及び排気開口ｇを閉蓋するが、容器本体ｂの除湿剤収納室兼空気通路室ｅ内に除湿剤を充填し、除湿器ａを所定の場所に設置した後においては、弁棒ｈは押し上げられ、弁部材ｉは吸気開口ｆ及び排気開口ｇを開放する。
【０００５】
また、蓋体ｃの長手方向の対向側面には、水平方向に複数本のスリット状の孔がそれぞれ設けられている。これら孔は、前記キャップｊに遠い側のものは吸気孔ｐに、キャップｊに近い側のものは排気孔ｑになる。
【０００６】
前記蓋カバーｄは、蓋体ｃの上部を閉蓋するためのもので、その中央部には充電器ｋが、前記吸気孔ｐに近い側に湿度調節レバーｎが、前記排気孔ｑに近い側に排気ファンｍがそれぞれ取り付けられる。
【０００７】
その作用は次のように行われる。即ち、容器本体ｂの除湿剤収納室兼空気通路室ｅ内に除湿剤を充填し、除湿器ａを所定の場所に設置する。すると弁棒ｈは押し上げられ、それぞれの弁部材ｉは吸気開口ｆ及び排気開口ｇを開放する。この状態で湿度調節レバーｎを回動し、前記排気ファンｍを駆動させる。排気ファンｍが駆動すると湿気を含んだ空気は吸気孔ｐより吸い込まれる。吸気孔ｐより吸い込まれた空気は、吸気開口ｆを介して除湿剤収納室兼空気通路室ｅ内に導入される。すると、空気中の水分は除湿剤に吸着され、乾いた空気となる。乾いた空気はその後、排気ファンｍにより排気開口ｇより吸い出され、前記排気孔ｑより排出される。除湿剤は空気中の水分を吸うことにより液状化するため、その液が所定以上になると、除湿機能が衰えるため前記キャップｊを取り外し、除湿剤投入口ｓよりその液体を排出し、再度新しい除湿剤を充填して使うことになる。
【０００８】
除湿剤が変化した液をキャップｊを取り外し、投入口ｓより排出するときには除湿器ａを持ち上げて排出することになる。すると吸気開口ｆ及び排気開口ｇはそれぞれの弁部材ｉによって閉鎖されるため、液を排出するときにその液が吸気開口ｆ或いは排気開口ｇより蓋体ｃ内に流れ、蓋体ｃ内の湿度調節機構や排気ファンｍに通電不良等の悪影響を及ぼすことはない。
【０００９】
ところが、吸気孔ｐ或いは排気孔ｑは開放された状態にあるため、吸気孔ｐ或いは排気孔ｑから排出中の液が入り込む恐れがある。即ち、除湿器ａを持ち上げ容器本体ｂが下になる除湿器ａ本来の姿勢で除湿器ａを傾け投入口ｓより液を排出する場合には吸気孔ｐ或いは排気孔ｑは投入口ｓの上に位置することになるため、吸気孔ｐ或いは排気孔ｑから液が直接入り込む可能性は少ないが、それでも例えば排出中の液が跳ね、その跳ねた液が吸気孔ｐ或いは排気孔ｑから蓋体ｃ内に入り込むこともあり、また、除湿器ａを逆にした状態での排出、即ち、吸気孔ｐ或いは排気孔ｑが投入口ｓの下に位置する状態で排出する場合には、角度によっては直接液が吸気孔ｐ或いは排気孔ｑより蓋体ｃ内に入り込むことがあった。その結果、湿度調節機構や排気ファンｍに通電不良等を引き起こし、故障の原因にもなっていた。
【００１０】
【発明が解決しようとする課題】
本願発明は、容器本体内の液を排出する場合、どのような方向で排出したとしてもその排出液が吸気孔或いは排気孔より蓋体内に入り込まないようにした簡易型除湿器を提供することを目的とするものである。
【００１１】
【課題を解決するための手段】
上記目的を達成するため、本願発明は以下の構成を採用する。
【００１２】
請求項１に係る発明では、対向側面に設けられる吸気孔と排気孔を有する蓋体と、該蓋体の下部に位置し、除湿剤収納空間及び除湿剤投入口を有する容器本体と、前記蓋体に前記吸気孔と前記除湿剤収納空間とを連通する吸気開口、及び前記除湿剤収納空間と前記排気孔とを連通する排気開口を設けるとともに、前記吸気開口及び前記排気開口を容器本体の持ち上げ及び持ち下げに連動して開閉する弁部材を設けてなる簡易型除湿器において、前記弁部材に連動して前記吸気孔及び前記排気孔を開閉する第２の弁部材を設ける構成。そしてこの構成により、除湿器を持ち上げた時には、吸気開口及び排気開口は閉鎖されるため、容器本体内の液が蓋体内に流れ出ることはなく、この時吸気孔及び排気孔も同様に閉鎖されるため、除湿器がどのような向きにある状態で液を投入口より排出することになったとしてもその液が蓋体内に入り込むことはない。また、除湿器を載置した場合には、吸気開口及び排気開口と、吸気孔及び排気孔は同様に開放されるため、従来どおりの除湿機能が行われる。
【００１３】
請求項２に係る発明では、前記弁部材と前記第２の弁部材とを一体にした構成。そしてこの構成により、弁部材を従来どおり一部品として形成でき、また弁部材と前記第２の弁部材とは一体化しているためその動作が簡単になり、且つ確実に行える。
【００１４】
請求項３に係る発明では、前記除湿剤投入口に近い側の前記吸気孔または前記排気孔のみに前記第２の弁部材を設ける構成。そしてこの構成により、生産コストを最小限に抑え、且つ本来必要な機能は充分達成される。
【００１５】
請求項４に係る発明では、前記除湿剤投入口と前記吸気孔または前記排気孔の間に遮蔽部材を設ける構成。そしてこの構成により、容器本体内の液の排出時、例え吸気孔或いは排気孔が投入口の下に位置する状態で排出したとしても、液は遮蔽部材によって遮られることになるため、吸気孔或いは排気孔から蓋体内に入り込むことはなくなる。
【００１６】
【発明の実施の形態】
図１は簡易型除湿器１の平面図を示し、図２は除湿器を設置した状態での図１のＡ−Ａ線断面図を示し、図３は除湿器を持ち上げた状態での図１のＡ−Ａ線断面図を示し、図４は弁部材の拡大平面図を示し、図５は図２のＢ−Ｂ線断面図を示す。
【００１７】
簡易型除湿器１は、下部からそれぞれ樹脂製の容器本体２、蓋体３及び蓋カバー４の３層構造からなる。容器本体２は、上方が開口する横断面矩形上の容器であり、その内部には長手方向側壁５、５寄りに吸入側区画壁７及び排出側区画壁８がその底壁６より立設されており、それら吸入側区画壁７及び排出側区画壁８により容器本体２内を空気導入室９、除湿剤収納室兼空気通路室１０及び空気導出室１１の３室を形成する。
【００１８】
前記除湿剤収納室兼空気通路室１０内には、図５に示すように除湿剤を保持するためのＷ字状で、且つ多孔の保持体１２が配置され、その内部に除湿剤収納室１０ａと空気通路室１０ｂとを形成している。また、前記排出側区画壁８には、やはり図５に示すように除湿された空気を空気導出室１１に導出するための縦長状のスリット１３と、除湿された空気を空気導出室１１に導出するとともに、除湿剤を除湿剤収納室１０ａに充填するための入口となる連通孔１４とが設けられる。更に前記吸入側区画壁７には図示しないが、湿った空気を空気導入室９より除湿剤収納室兼空気通路室１０に導くための前記排出側区画壁８に設けられるのと同様な縦長状のスリット１３が設けられている。
【００１９】
また、前記空気導入室９及び空気導出室１１には、底壁６より立設する中空状のガイドパイプ１５が設けられ、後記の弁棒部３３を上下動可能に収容する。なお、図２及び図３は図１のＡ−Ａ線断面図であるため吸気側の弁棒部３３は表示されない。更に、排出側区画壁８側の長手方向側壁５には、除湿剤を導入するための円筒状の投入口１９が一体的に形成されるとともに、この投入口１９の外周にはネジ１８が同時に形成されており、パッキン２１をその底部に嵌合してなるキャップ２０を該ネジ１８に螺合することにより投入口１９を密に閉蓋する。
【００２０】
そして、投入口１９より潮解性の除湿剤、例えば、粒状の塩化カルシウムを規定量入れることになる。その除湿剤は、投入口１９より空気導出室１１及び排出側区画壁８の上方に設けられる２個の連通孔１４を介して除湿剤収納室１０ａに充填される。
【００２１】
前記蓋体３は、容器本体２の上部開口を閉蓋するためのもので、該上部開口上に嵌合され、接着剤等により容器本体２に対し密着される。蓋体３は、容器本体２と同様に平面矩形状を呈し、周壁面を形成する側板と底壁面を形成する底板２３とからなる上方が開口した底の浅い容器形状として形成されており、その内部に湿度調節機構収納空間３ａ、充電器収納空間３ｂ及び排気ファン収納空間３ｃを有する。
【００２２】
そして、側面である長手方向側板２２、２２のうち、容器本体２の投入口１９と反対側の側板２２には、水平方向に細長く穿孔され、上下方向に等間隔に複数個、スリット状の吸気孔２４が設けられるとともに、投入口１９側の側板２２には、前記吸気孔２４と同形状のスリット状の排気孔２５が設けられる。また、投入口１９側の長手方向側板２２の外面で、且つ排気孔２５と投入口１９との間には、投入口１９に平行に突出する遮蔽部材３６が設けられており、除湿器１を逆にして容器本体２内の液を排出するような場合等に、排出される液が直接排気孔２５内に入ることを防止する。
【００２３】
更に、底板２３であって前記空気導入室９に位置する底板２３には図４に示すのと同様の２個の矩形状の吸気開口２６が設けられ、一方前記空気導出室１１に位置する底板２３には吸気開口２６と同形状の図４に示す排気開口２７が設けられる。なお、底板２３上には後記の弁部材を案内するためのリブ２８及び蓋体３と蓋カバー４とをビス止めするためのボス２９が設けられる。
【００２４】
前記吸気開口２６及び排気開口２７上には、これら両開口２６、２７を開閉するためのＬ字型弁部材３０が配設される。このＬ字型弁部材３０は、水平な状態で上下動する水平弁体部３１、及びこの水平弁体部３１の上端部に一体的に立設され、水平弁体部３１とともに上下動する垂直弁体部３２で形成されるＬ字状の弁体と、このＬ字状の弁体の水平弁体部３１の下面に一体的に連結される弁棒部３３とからなる。
【００２５】
前記弁棒部３３は、前記空気導入室９及び空気導出室１１に同様に立設するガイドパイプ１５内に挿入配置されるとともに、その上端面は図４に示すように前記水平弁体部３１の下面中央部に接着剤等で一体的に連結される。ガイドパイプ１５の内面と弁棒部３３の外面との間には、該弁棒部３３を常時下方向に付勢するスプリング１７が設けられ、Ｌ字型弁部材３０を下方向に付勢する。そのため、除湿器１を持ち上げた状態では、該Ｌ字型弁部材３０は下方向へ押し下げられ、水平弁体部３１の下面は、底板２３の上面に当接し、吸気開口２６及び排気開口２７を閉鎖するとともに、弁棒部３３の下端部は容器本体２の底壁６より下方に突出する。次いで、除湿器１を載置した状態では、弁棒部３３はスプリング１７の力に抗して上動するため、水平弁体部３１は吸気開口２６及び排気開口２７を開放する。
【００２６】
また、Ｌ字状の弁体のうち前記水平弁体部３１は、図４に示すように平面矩形上からなり、その下面は同じく図４に示すように前記吸気開口２６及び排気開口２７上に設けられるシール材３４の上面に当接自在とされ、水平弁体部３１がシール材３４の上面に当接した状態においては、容器本体２内の液が蓋体３内に流出しないように密に係合する。
【００２７】
前記垂直弁体部３２は、吸気孔２４及び排気孔２５に対向する位置において前記水平弁体部３１の上端部に一体的に形成され、水平弁体部３１とともに上下動する。この垂直弁体部３２には、両側板２２、２２に設けられる吸気孔２４及び排気孔２５、即ち、水平方向に細長く穿孔され、上下方向に等間隔に複数個設けられるスリット状の孔とほぼ同じ形状、同じ間隔、同じ数の孔である連通口３５、３５が設けられる。
【００２８】
そして、水平弁体部３１が上動し、前記吸気開口２６及び排気開口２７が開放されている除湿器１の載置時には、垂直弁体部３２にそれぞれ設けられる連通口３５、３５は、吸気孔２４或いは排気孔２５と一致する位置、即ち、図２に示す位置にあるように設定されており、吸気開口２６から湿った空気を空気導入室９へ取り入れ、且つ除湿後の空気を排気孔２５より外部へ排出することを可能にする。それに反し、除湿器１を持ち上げた時には、水平弁体部３１は前記吸気開口２６及び排気開口２７を閉鎖するとともに、垂直弁体部３２にそれぞれ設けられる連通口３５、３５は、吸気孔２４或いは排気孔２５と不一致になる位置、即ち、図３に示す位置にあるように設定されており、そのため吸気孔２４或いは排気孔２５を介して蓋体３内に容器本体２内の排出液が侵入することはなくなる。
【００２９】
なお、Ｌ字型弁部材３０の水平弁体部３１は請求項１に記載の弁部材に対応し、垂直弁体部３２は請求項１に記載の第２の弁部材に対応するものである。
【００３０】
前記蓋カバー４は、蓋体３の上部を閉蓋するためのもので、蓋体３に嵌合後、蓋体３の底板２３から立設する前記ボス２９に図示しないビスによってビス止めすることにより蓋体３に対し蓋カバー４を一体的に連結する。その中央部には凹んだ充電器収納室３７が形成され、この充電器収納室３７内には内部にニカド電池３９等を有する充電器３８が充電された状態で設置され、この充電器３８により後記の排気ファンを駆動する。
【００３１】
また、蓋カバー４の裏面であり、蓋体３の吸気孔２４側である湿度調節機構収納空間３ａには湿度調節機構４０が配設される。この湿度調節機構４０は、湿度調節レバー４１を回動することにより、オフ状態、連続オン状態及び自動湿度調節状態のモードを選択することができ、自動湿度調節状態モードを選択すると、除湿器１を設置するスペース内の湿度を選定した湿度に自動調整するもので、その機構は既に公知のものである。
【００３２】
更に、蓋カバー４の裏面であり、蓋体３の排気孔２５側である排気ファン収納空間３ｃには排気ファン４２が配設される。この排気ファン４２は、電動モータ４３及び回転羽根４４からなり、前記充電器３８により駆動されるとともに、駆動されることにより、空気を蓋体３の吸気孔２４より導入し、排気孔２５より排出する。
【００３３】
その作用は次のように行われる。まず、容器本体２のキャップ２０を取り外し、投入口１９から除湿剤を充填する。除湿剤は、排出側区画壁８の上部に形成される２個の連通孔１４を介して容器本体２内の除湿剤収納室１０ａ、１０ａに均等に供給されるように充填する。その後、除湿器１を所定の場所に設置する。
【００３４】
すると容器本体２の底壁６から突出していた弁棒部３３はスプリング１７の力に抗して押し上げられ、弁棒部３３の先端に連結されている水平弁体部３１及び垂直弁体部３２は同じく上動し、水平弁体部３１は吸気開口２６及び排気開口２７を開放する。また、垂直弁体部３２の連通口３５は吸気孔２４及び排気孔２５の位置と一致するため、吸気孔２４と湿度調節機構収納空間３ａとが連通するとともに、排気孔２５と排気ファン収納空間３ｃとが連通する。
【００３５】
この状態で湿度調節レバー４１をオン状態に回動し、前記排気ファン４２を駆動させる。すると設置場所の湿った空気は吸気孔２４より吸い込まれる。吸気孔２４より吸い込まれた空気は、黒塗りの矢印で示すように湿度調節機構収納空間３ａ、吸気開口２６、空気導入室９及び吸入側区画壁７のスリット１３を介して除湿剤収納室兼空気通路室１０内に導入される。すると、除湿剤収納室１０ａに収納されている除湿剤に空気中の水分は吸着され、乾いた空気となる。乾いた空気はその後、白抜きの矢印で示すように排気ファン４２により排出側区画壁８に設けられるスリット１３と連通孔１４、空気導出室１１及び排気開口２７を介して排気ファン収納空間３ｃに導出され、その後、排気孔２５より設置空間に排出される。
【００３６】
除湿を継続的に行っていると、除湿剤は空気中の水分を吸うことにより液状化し、やがてその大部分は液体となる。その液が所定以上になると、除湿機能が衰えるためその液体を排出し、再度粒状の除湿剤を充填することになる。
【００３７】
そこで除湿器１を持ち上げ、前記キャップ２０を取り外し、投入口１９よりその液体を排出することになる。するとＬ字型弁部材３０は、スプリング１７の力によって下動され、吸気開口２６及び排気開口２７は水平弁体部３１によって閉鎖されるとともに、吸気孔２４及び排気孔２５も垂直弁体部３２によってそれぞれ閉鎖される。そのため容器本体２内の液が直接吸気開口２６或いは排気開口２７を介して湿度調節機構収納空間３ａ或いは排気ファン収納空間３ｃに導出されることがなく、また、投入口１９より排出中の液が吸気孔２４或いは排気孔２５より、湿度調節機構収納空間３ａ或いは排気ファン収納空間３ｃに導入することはないため、蓋体３内の湿度調節機構４０や排気ファン４２に通電不良等の悪影響を及ぼすことはなくなる。
【００３８】
なお、上記では水平弁体部３１及び垂直弁体部３２を一体のものとして説明したが、水平弁体部３１と垂直弁体部３２とを別々のものとし、且つ水平弁体部３１或いは垂直弁体部３２にそれぞれ弁棒部３３を設け、水平弁体部３１及び弁棒部３３、或いは垂直弁体部３２及び弁棒部３３からなる弁部材を除湿器１の載置或いは持ち上げに連動して開閉するようにしても良い。
【００３９】
更に、最も必要なのは、投入口１９の近傍に設けられる吸気孔２４或いは排気孔２５に対する開閉機構であり、この投入口１９近傍の吸気孔２４或いは排気孔２５のみに垂直弁体部３２を設けるようにしても良い。
【００４０】
本願発明は、上記実施例の構成に限定されるものではなく、例えば上記で説明した吸気孔２４及び排気孔２５を逆に設けても良く、また、除湿剤の保持体１２をなくし、除湿剤収納室１０ａと空気通路室１０ｂとを兼用しても良い等、発明の要旨を逸脱しない範囲において適宜設計変更可能であることは勿論である。
【００４１】
【発明の効果】
請求項１に係る発明では、吸気孔と除湿剤収納空間とを連通する吸気開口及び除湿剤収納空間と排気孔とを連通する排気開口を設けるとともに、これら吸気開口及び排気開口を開閉する弁部材を設け、更にそれら弁部材に連動して吸気孔及び排気孔を開閉する第２の弁部材を設けることにより、除湿器を載置した使用形態では、吸気開口及び排気開口と、吸気孔及び排気孔は同様に開放されるため、従来どおりの除湿機能を行うことができるとともに、容器本体内の液の排出時、除湿器を持ち上げると吸気開口及び排気開口は勿論、吸気孔及び排気孔も同様に閉鎖されるため、除湿器がどのような向きにある状態で液を投入口より排出することになったとしてもその液が蓋体内に入り込むことはないため、湿度調節機構や排気ファンに悪影響を及ぼすことを防止することができる。また、それだけ信頼性を向上することができる。
【００４２】
請求項２に係る発明では、弁部材と第２の弁部材とを一体にすることにより、弁部材を従来どおり一部品として形成できるため、生産コストを最小に抑えることができるとともに、弁部材と第２の弁部材とは一体化しているためその動作を簡単、且つ確実に行うことができる。
【００４３】
請求項３に係る発明では、除湿剤投入口に近い側の吸気孔または排気孔のみに第２の弁部材を設けることにより、必要な機能を充分維持したまま、低コスト化を図ることができる。
【００４４】
請求項４に係る発明では、除湿剤投入口と吸気孔または排気孔の間に遮蔽部材を設けることにより、容器本体内の液の排出時、例え吸気孔または排気孔が投入口の下に位置する状態で排出したとしても、液は遮蔽部材によって遮られ吸気孔または排気孔から蓋体内に入り込むことはなくなるためそれだけ信頼性が向上する。
【図面の簡単な説明】
【図１】本願発明の簡易型除湿器の平面図。
【図２】除湿器を設置した状態での図１のＡ−Ａ線断面図。
【図３】除湿器を持ち上げた状態での図１のＡ−Ａ線断面図。
【図４】蓋カバーを取り外した状態で、弁部材及び第２の弁部材を示す拡大平面図。
【図５】蓋カバーを取り外した状態での図２のＢ−Ｂ線断面図。
【図６】従来の簡易型除湿器の断面図。
【符号の説明】
１…除湿器　　　　　　２…容器本体
３…蓋体　　　　　　　３ａ…湿度調節機構収納空間
３ｂ…充電器収納空間　３ｃ…排気ファン収納空間
４…蓋カバー　　　　　５…長手方向側壁
６…底壁　　　　　　　７…吸入側区画壁
８…排出側区画壁　　　９…空気導入室
１０…除湿剤収納室兼空気通路室　１０ａ…除湿剤収納室
１０ｂ…空気通路室　　１１…空気導出室
１２…保持体　　　　　１３…スリット
１４…連通孔　　　　　１５…ガイドパイプ
１７…スプリング　　　１８…ネジ
１９…投入口　　　　　２０…キャップ
２１…パッキン　　　　２２…長手方向側板
２３…底板　　　　　　２４…吸気孔
２５…排気孔　　　　　２６…吸気開口
２７…排気開口　　　　２８…リブ
２９…ボス　　　　　　３０…Ｌ字型弁部材
３１…水平弁体部　　　３２…垂直弁体部
３３…弁棒部　　　　　３４…シール材
３５…連通口　　　　　３６…遮蔽部材
３７…充電器収納室　　３８…充電器
３９…ニカド電池　　　４０…湿度調節機構
４１…湿度調節レバー　４２…排気ファン
４３…電動モータ　　　４４…回転羽根
【図１】
2004066117.tif 000003
【図２】
2004066117.tif 000004
【図３】
2004066117.tif 000005
【図４】
2004066117.tif 000006
【図５】
2004066117.tif 000007
【図６】
2004066117.tif 000008